(57)【要約】【課題】窓の防音性または気密性等の機能を保証する。【解決手段】前記補助支持ブロックは、形材支持部材と、補助部材とを含み、前記形材支持部材は、内部に収納空間を有し、前記収納空間は、前記形材支持部材の外部と連通する開口部を有し、前記補助部材は、順次接続された固定部と、支持ヒレ部と、当接部とを有し、前記固定部において前記支持ヒレ部から遠い方の一方側が前記形材支持部材の前記収納空間に挿入されて前記固定部と前記形材支持部材とが接続され、前記形材支持部材は、前記形材底壁の上に取り付けられ、前記支持ヒレ部は、前記窓用ガラスと前記形材側壁の一方との間に位置し、前記支持ヒレ部が前記窓用ガラスの一方の表面を押さえつけ、前記当接部が前記形材側壁の一方を押さえつけ、前記窓用ガラスの他方の表面は、前記窓用形材の前記形材側壁の他方と接触する。【選択図】図３
2019167810.tif 000002
【特許請求の範囲】
【請求項１】
窓用ガラスが挿入されるガラス設置部を有し、前記ガラス設置部が、内部に２つの形材側壁と、前記２つの形材側壁の端面に接続する形材底壁とを有した窓用形材の補助支持ブロックであって、
形材支持部材と、補助部材とを含み、
前記形材支持部材は、内部に収納空間を有し、前記収納空間は、前記形材支持部材の外部に連通する開口部を有し、
前記補助部材は、順次接続された固定部と、支持ヒレ部と、当接部とを有し、
前記固定部において前記支持ヒレ部から遠い方の一方側が前記形材支持部材の前記収納空間に挿入されて前記固定部と前記形材支持部材とが接続され、
前記形材支持部材は前記形材底壁の上に取り付けられ、前記支持ヒレ部は前記窓用ガラスと前記形材側壁の一方との間に位置し、前記支持ヒレ部が前記窓用ガラスの一方の表面を押さえつけ、前記当接部が前記形材側壁の一方を押さえつけ、前記窓用ガラスの他方の表面は、前記窓用形材の前記形材側壁の他方と接触することを特徴とする窓用形材の補助支持ブロック。
【請求項２】
前記形材支持部材は、上下に順次接続された第１支持部と、接続部と、第２支持部とを含み、前記第１支持部と前記第２支持部とは、前記形材支持部材の高さ方向に沿って順次設けられ、
前記第１支持部と前記第２支持部との間の隙間が、前記収納空間を形成することを特徴とする請求項１に記載の窓用形材の補助支持ブロック。
【請求項３】
前記接続部において前記収納空間に面した側面は、前記収納空間に向かって突出した付勢面であり、前記付勢面が前記固定部を押さえつけることを特徴とする請求項２に記載の窓用形材の補助支持ブロック。
【請求項４】
前記付勢面は弧状の押圧面であり、
前記第１支持部において前記接続部側の側面には第１くり抜き部が設けられ、前記第１くり抜き部は、前記形材支持部材の高さ方向に沿って前記収納空間まで貫通し、前記第１くり抜き部の孔壁において前記接続部側の壁面は第１弧状壁面であり、前記第１弧状壁面と前記付勢面とは同一面上にあり、
前記第２支持部において前記接続部側の側面には第２くり抜き部が設けられ、前記第２くり抜き部は、前記形材支持部材の高さ方向に沿って前記収納空間まで貫通し、前記第２くり抜き部の孔壁において前記接続部側の壁面は第２弧状壁面であり、前記第２弧状壁面と前記付勢面とは同一面上にあることを特徴とする請求項３に記載の窓用形材の補助支持ブロック。
【請求項５】
前記第１支持部または前記第２支持部が、前記形材底壁と接触することを特徴とする請求項２に記載の窓用形材の補助支持ブロック。
【請求項６】
前記第１支持部において前記接続部から遠い一方側に第１アーム弾性部が設けられ、前記第２支持部において前記接続部から遠い一方側に第２アーム弾性部が設けられ、
前記第２支持部が前記形材底壁と接触する場合には、前記第１支持部の前記第１アーム弾性部が前記支持ヒレ部を押さえつけ、
前記第１支持部が前記形材底壁と接触する場合には、前記第２支持部の前記第２アーム弾性部が前記支持ヒレ部を押さえつけることを特徴とする請求項５に記載の窓用形材の補助支持ブロック。
【請求項７】
前記第１支持部において前記接続部から遠い一方側の縁部には、第１縁部貫通部が設けられ、前記第１縁部貫通部は、前記形材支持部材の高さ方向に沿って前記収納空間まで貫通し、
前記第２支持部において前記接続部から遠い一方側の縁部には、第２縁部貫通部が設けられ、前記第２縁部貫通部は、前記形材支持部材の高さ方向に沿って前記収納空間まで貫通していることを特徴とする請求項６に記載の窓用形材の補助支持ブロック。
【請求項８】
前記固定部が前記形材支持部材の前記収納空間に挿入される方向は、前記形材支持部材の幅方向であり、前記第１支持部の幅と前記第２支持部の幅とが異なっていることを特徴とする請求項２に記載の窓用形材の補助支持ブロック。
【請求項９】
前記第１支持部の高さと前記第２支持部の高さとが異なっていることを特徴とする請求項２に記載の窓用形材の補助支持ブロック。
【請求項１０】
前記形材底壁には、取付け孔が設けられ、前記第１支持部には、前記取付け孔に対応する第１支持孔が設けられ、前記第２支持部には、前記取付け孔に対応する第２支持孔が設けられ、前記第１支持孔と前記第２支持孔とは同軸に設けられ、
前記固定部には、前記第１支持孔と前記第２支持孔とに対応する固定孔が設けられ、
前記第１支持部が前記形材底壁と接触する場合には、連結部材が前記第２支持孔と、前記固定孔と、前記第１支持孔と、前記取付け孔とを順次貫通して、前記形材支持部材と前記補助部材とを前記形材底壁の上に取り付けて固定し、
前記第２支持部が前記形材底壁と接触する場合には、前記連結部材が前記第１支持孔と、前記固定孔と、前記第２支持孔と、前記取付け孔とを順次貫通して、前記形材支持部材と前記補助部材とを前記形材底壁の上に取り付けて固定することを特徴とする請求項２に記載の窓用形材の補助支持ブロック。
【請求項１１】
前記形材支持部材の数は３以上の複数であり、前記補助部材の前記固定部は、平行に設置された複数の前記形材支持部材の前記収納空間に挿入され、隣り合う２つの前記形材支持部材の間隔は等しく、前記固定部には複数の前記固定孔が設けられ、前記固定孔のそれぞれは、１つの前記形材支持部材に対応し、隣り合う２つの前記固定孔の間隔は２５０ｍｍ〜３５０ｍｍであることを特徴とする請求項１０に記載の窓用形材の補助支持ブロック。
【請求項１２】
前記支持ヒレ部は、圧力ヒレと、接続ヒレとを含み、前記圧力ヒレの一方側は前記固定部に接続し、他方側は前記接続ヒレに接続し、
前記圧力ヒレにおいて前記固定部が突出している側の表面は、前記窓用ガラスと接触し、
前記接続ヒレにおいて前記圧力ヒレから遠い一方側は、前記当接部に接続していることを特徴とする請求項１に記載の窓用形材の補助支持ブロック。
【請求項１３】
前記圧力ヒレは前記固定部に対して垂直に設けられ、前記圧力ヒレは前記接続ヒレに対して垂直に設けられていることを特徴とする請求項１２に記載の窓用形材の補助支持ブロック。
【請求項１４】
前記当接部は前記接続ヒレに対して垂直に設けられていることを特徴とする請求項１２に記載の窓用形材の補助支持ブロック。
【発明の詳細な説明】
【技術分野】
【０００１】
本発明は、窓用形材の技術分野に関し、特に窓用形材の補助支持ブロックに関する。
【背景技術】
【０００２】
日常生活で使用される窓には、必要に応じて一層あるいはより多くのガラスが取り付けられるが、ガラスを固定する窓用形材の寸法は基本的に変わらない。窓用形材に汎用性があればコストの節約ができる。同一構造の窓用形材を層数の異なるガラスに適用するために、ガラスと形材との間に当接させる従来の補助部材は、通常単層ガラス及び二層ガラスに応用することができる。図１０に示すように、補助部材１は、当接部１１と、当接部１１の両端にそれぞれ設けられた長ヒレ部１２及び短ヒレ部１３とを含んでいる。長ヒレ部１２及び短ヒレ部１３は、当接部１１の同じ一方側に突出し、長ヒレ部１２の幅が短ヒレ部１３の幅よりも大きくなっている。形材４に単層ガラス２を取り付ける場合には、図１１に示すように、長ヒレ部１２が単層ガラス２に当接した姿勢で、当接部１１が形材４に取り付けられる。形材４に二層ガラス３を取り付ける場合には、図１２に示すように、短ヒレ部１３が二層ガラス３に当接した姿勢で、当接部１１が形材４に取り付けられる。
【発明の概要】
【発明が解決しようとする課題】
【０００３】
当接部と形材との当接箇所には、生産過程及び使用過程において、通常、隙間が存在し、窓の防音性または気密性等の機能に影響を与える。また、長ヒレ部及び短ヒレ部を設けても、窓の内外方向における寸法の調整が可能となるだけであり、補助部材の汎用性は制限されてしまう。
本発明は、上記実情に鑑みて、従来技術における上記課題を解決する窓用形材の補助支持ブロックを提供することを目的とする。
【課題を解決するための手段】
【０００４】
上記技術課題を解決するため、本発明は、窓用形材の補助支持ブロックを提供する。補助支持ブロックは、窓用形材に適用されるものである。前記窓用形材は、窓用ガラスが挿入されるガラス設置部を有し、前記ガラス設置部は、内部に２つの形材側壁と、前記２つの形材側壁の端面に接続する形材底壁とを有している。前記補助支持ブロックは、形材支持部材と、補助部材とを含み、前記形材支持部材は、内部に収納空間を有し、前記収納空間は、前記形材支持部材の外部と連通する開口部を有し、前記補助部材は、順次接続された固定部と、支持ヒレ部と、当接部とを有し、前記固定部において前記支持ヒレ部から遠い方の一方側が前記形材支持部材の前記収納空間に挿入されて前記固定部と前記形材支持部材とが接続され、前記形材支持部材は、前記形材底壁の上に取り付けられ、前記支持ヒレ部は、前記窓用ガラスと前記形材側壁の一方との間に位置し、前記支持ヒレ部が前記窓用ガラスの一方の表面を押さえつけ、前記当接部が前記形材側壁の一方を押さえつけ、前記窓用ガラスの他方の表面は、前記窓用形材の前記形材側壁の他方と接触する。
【０００５】
窓用ガラスが窓用形材のガラス設置部に挿入され、形材支持部材が形材底壁の上に取り付けられる。固定部が形材支持部材の収納空間に挿入され、固定部と形材支持部材とが接続されることで、形材支持部材と補助部材とが安定的に接続される。窓用ガラスの一方の表面は、補助部材の支持ヒレ部に押さえつけられ、窓用ガラスの他方の表面は、窓用形材の形材側壁の他方と接触する。補助部材の当接部が形材側壁の一方を押さえつけるため、窓用ガラスは、２つの表面を介して支持ヒレ部と形材側壁の他方とに挟み込まれ、ガラス設置部における窓用ガラスの位置が固定される。窓用形材の形材側壁の一方と補助部材の当接部との間に隙間が生じないため、窓内外の防音・気密効果が保証される。
【０００６】
前記形材支持部材は、上下に順次接続された第１支持部と、接続部と、第２支持部とを含み、前記第１支持部と前記第２支持部とは、前記形材支持部材の高さ方向に沿って順次設けられ、前記第１支持部と前記第２支持部との間の隙間が、前記収納空間を形成することが好ましい。形材支持部材は構造がシンプルであるため、固定部を形材支持部材の収納空間に容易に挿入できる。
【０００７】
さらに、前記接続部において前記収納空間に面した側面は、前記収納空間に向かって突出した付勢面であり、前記付勢面が前記固定部を押さえつけることが好ましい。固定部に対する付勢面の圧力によって、固定部と形材支持部材との接続がより安定する。
【０００８】
またさらに、前記付勢面は弧状の押圧面であり、前記第１支持部において前記接続部側の側面には第１くり抜き部が設けられ、前記第１くり抜き部は、前記形材支持部材の高さ方向に沿って前記収納空間まで貫通し、前記第１くり抜き部の孔壁において前記接続部側の壁面は第１弧状壁面であり、前記第１弧状壁面と前記付勢面とは同一面上にあり、前記第２支持部において前記接続部側の側面には第２くり抜き部が設けられ、前記第２くり抜き部は、前記形材支持部材の高さ方向に沿って前記収納空間まで貫通し、前記第２くり抜き部の孔壁において前記接続部側の壁面は第２弧状壁面であり、前記第２弧状壁面と前記付勢面とは同一面上にあることが好ましい。
【０００９】
第１弧状壁面と、付勢面と、第２弧状壁面とが圧力弧面を形成する。第１くり抜き部及び第２くり抜き部を設けたため、接続部と第１支持部との間、及び、接続部と第２支持部との間に隙間が形成され、接続部の剛性が低減する。このため、接続部の付勢面は、様々な固定部と接触したとき弾性変形することができ、様々な寸法の固定部に対して安定的に圧力を加えることができる。
【００１０】
さらに、前記第１支持部または前記第２支持部が、前記形材底壁と接触することが好ましい。この構造によれば、形材支持部材を２種類の異なる位置で形材底壁の上に取り付けることができる。
【００１１】
またさらに、前記第１支持部において前記接続部から遠い一方側に第１アーム弾性部が設けられ、前記第２支持部において前記接続部から遠い一方側に第２アーム弾性部が設けられ、前記第２支持部が前記形材底壁と接触する場合には、前記第１支持部の前記第１アーム弾性部が前記支持ヒレ部を押さえつけ、前記第１支持部が前記形材底壁と接触する場合には、前記第２支持部の前記第２アーム弾性部が前記支持ヒレ部を押さえつけることが好ましい。この構造によれば、形材支持部材を２種類の異なる位置で形材底壁の上に取り付けたとき、いずれの場合にも支持ヒレ部を押さえつけることができる。
【００１２】
またさらに、前記第１支持部において前記接続部から遠い一方側の縁部には、第１縁部貫通部が設けられ、前記第１縁部貫通部は、前記形材支持部材の高さ方向に沿って前記収納空間まで貫通し、前記第２支持部において前記接続部から遠い一方側の縁部には、第２縁部貫通部が設けられ、前記第２縁部貫通部は、前記形材支持部材の高さ方向に沿って前記収納空間まで貫通していることが好ましい。
【００１３】
この構造によれば、第１支持部において接続部から遠い一方側の縁部の剛性が低減されるため、第１アーム弾性部が支持ヒレ部と接触したとき、第１支持部において接続部から遠い一方側の縁部が弾性変形して、支持ヒレ部に安定的に圧力を加えることができる。また、第２支持部において接続部から遠い一方側の縁部の剛性が低減されるため、第２アーム弾性部が支持ヒレ部と接触したとき、第２支持部の接続部から遠い一方側の縁部が弾性変形して、支持ヒレ部に安定的に圧力を加えることができる。
【００１４】
さらに、前記固定部が前記形材支持部材の前記収納空間に挿入される方向は、前記形材支持部材の幅方向であり、前記第１支持部の幅と前記第２支持部の幅とが異なっていることが好ましい。この構造によれば、補助支持ブロックを様々な異なる窓用ガラスに適用することができ、補助支持ブロックの汎用性を高めることができる。
【００１５】
さらに、前記第１支持部の高さと前記第２支持部の高さとが異なっていることが好ましい。この構造によれば、補助支持ブロックを様々な異なる窓用ガラスに適用することができ、補助支持ブロックの汎用性を高めることができる。
【００１６】
さらに、前記形材底壁には、取付け孔が設けられ、前記第１支持部には、前記取付け孔に対応する第１支持孔が設けられ、前記第２支持部には、前記取付け孔に対応する第２支持孔が設けられ、前記第１支持孔と前記第２支持孔とは同軸に設けられ、前記固定部には、前記第１支持孔と前記第２支持孔とに対応する固定孔が設けられ、前記第１支持部が前記形材底壁と接触する場合には、連結部材が前記第２支持孔と、前記固定孔と、前記第１支持孔と、前記取付け孔とを順次貫通して、前記形材支持部材と前記補助部材とを前記形材底壁の上に取り付けて固定し、前記第２支持部が前記形材底壁と接触する場合には、前記連結部材が前記第１支持孔と、前記固定孔と、前記第２支持孔と、前記取付け孔とを順次貫通して、前記形材支持部材と前記補助部材とを前記形材底壁の上に取り付けて固定することが好ましい。連結部材を用いて形材支持部材と補助部材とを上下に接続するとともに、形材支持部材と形材底壁とを接続する。この接続方法は簡便で、取り外しも容易である。
【００１７】
またさらに、前記形材支持部材の数は複数であり、前記補助部材の前記固定部は、平行に設置された複数の前記形材支持部材の前記収納空間に挿入され、隣り合う２つの前記形材支持部材の間隔は等しく、前記固定部には複数の前記固定孔が設けられ、前記固定孔のそれぞれは、１つの前記形材支持部材に対応し、隣り合う２つの前記固定孔の間隔は２５０ｍｍ〜３５０ｍｍである。複数の形材支持部材が間隔を空けて設置されるため、形材支持部材の製造コストを節約できる。
【００１８】
前記支持ヒレ部は、圧力ヒレと、接続ヒレとを含み、前記圧力ヒレの一方側は前記固定部に接続し、他方側は前記接続ヒレに接続し、前記圧力ヒレにおいて前記固定部が突出している側の表面は、前記窓用ガラスと接触し、前記接続ヒレにおいて前記圧力ヒレから遠い一方側は、前記当接部に接続していることが好ましい。圧力ヒレに対する接続ヒレの押圧力により、圧力ヒレは窓用ガラスを押さえつける。当接部に対する接続ヒレの押圧力により、当接部は形材側壁の一方を押さえつける。この構造によれば、窓用ガラスと形材側壁の一方との間に支持ヒレ部を安定的にはめ込んで固定することができる。
【００１９】
さらに、前記圧力ヒレは前記固定部に対して垂直に設けられ、前記圧力ヒレは前記接続ヒレに対して垂直に設けられることが好ましい。この構造によれば、接続ヒレが圧力ヒレに押圧力を加えて、窓用ガラスを押さえつけることが容易となる。
【００２０】
さらに、前記当接部は前記接続ヒレに対して垂直に設けられていることが好ましい。この構造によれば、接続ヒレが当接部に押圧力を加えて、形材側壁の一方を押さえつけることが容易となる。
【発明の効果】
【００２１】
本発明の窓用形材の補助支持ブロックは、形材底壁の上に取り付けられる。補助支持ブロックの形材支持部材と補助部材とが接続され、窓用ガラスが２つの表面を介して支持ヒレ部と形材側壁の他方とに挟み込まれる。補助部材の当接部が形材側壁の一方を押さえつけることで、当接部と形材側壁の一方とが確実に当接して、当接部と形材側壁の一方との間に隙間が生じることを防ぎ、窓内外の防音・気密効果を保証する。
【図面の簡単な説明】
【００２２】
【図１】本実施例の窓用形材の補助支持ブロックにおいて第２支持部が形材底壁と接触しているときの斜視図である。
【図２】本実施例の補助支持ブロックと窓用形材とを分解したときの構造概略図である。
【図３】本実施例の窓用形材の補助支持ブロックにおいて第２支持部が形材底壁と接触しているときの形材支持部材の接続構造概略図である。
【図４】本実施例の窓用形材の補助支持ブロックにおいて第１支持部が形材底壁と接触しているときの形材支持部材の接続構造概略図である。
【図５】本実施例の窓用形材の補助支持ブロックに適用する形材支持部材の斜視構造概略図である。
【図６】本実施例の窓用形材の補助支持ブロックにおいて形材支持部材の第１支持部を上に向けて置いたときの構造概略平面図である。
【図７】本実施例の窓用形材の補助支持ブロックに適用する形材支持部材の側面構造概略図である。
【図８】本実施例の窓用形材の補助支持ブロックにおいて形材支持部材の第２支持部を上に向けて置いたときの平面構造概略図である。
【図９】本実施例の窓用形材の補助支持ブロックに適用する補助部材の側面構造概略図である。
【図１０】従来の補助部材の側面構造概略図である。
【図１１】従来の形材に単層ガラスを取り付けた構造概略図である。
【図１２】従来の形材に二層ガラスを取り付けた構造概略図である。
【発明を実施するための形態】
【００２３】
以下、特定の具体的な実施例によって本発明の実施の形態について説明する。当業者であれば、本明細書に開示された内容から本発明のその他の利点や効果を容易に理解できるであろう。
図を参照されたい。本明細書に付属する図面に示した構造、比率、大きさ等は、いずれも明細書に記載された内容と組み合わせて、当業者の理解及び閲読に供するものに過ぎず、本発明の実施可能性を限定する限定条件として用いるものではなく、技術上の実質的意義も有していない。いかなる構造上の修正、比率の変更あるいは大きさの調整も、本発明がもたらす効果及び達成する目的に影響しない限り、本発明に開示された技術内容がカバーする範囲内に含まれるものとする。また、本明細書に用いる「上」、「下」、「左」、「右」、「中間」及び「一」などの用語も、説明を明確にするために用いるに過ぎず、本発明の実施可能な範囲を限定するものではない。それらの相対関係の変更や調整は、技術内容が実質的に変更されないかぎり、本発明の実施可能な範疇であるとみなされる。
【００２４】
以下の説明において、形材支持部材の高さ方向は、図７において紙面の上下方向である。形材支持部材の幅方向は、図７において紙面の左右方向である。形材支持部材の長さ方向は、図７において紙面の内外方向である。補助部材の高さ方向は、図９において紙面の上下方向である。補助部材の幅方向は、図９において紙面の左右方向である。補助部材の長さ方向は、図９において紙面の内外方向である。
【００２５】
図１〜図９に示すように、本実施例の補助支持ブロックの適用対象となる窓用形材１００は、窓用ガラス１０が挿入されるガラス設置部１１０を有している。ガラス設置部１１０は、内部に２つの形材側壁１１１と、２つの形材側壁１１１の端面に接続する形材底壁１１２とを有している。
補助支持ブロックは、形材支持部材２００と補助部材３００とを含んでいる。
形材支持部材２００は、内部に収納空間２０１を有し、収納空間２０１は、形材支持部材２００の外部と連通する開口部２０２を有している。
【００２６】
補助部材３００は、順次接続された固定部３１０と、支持ヒレ部３２０と、当接部３３０とを有し、支持ヒレ部３２０から遠い固定部３１０の一方側が形材支持部材２００の収納空間２０１に挿入され、固定部３１０と形材支持部材２００とが接続されている。
【００２７】
形材支持部材２００は形材底壁１１２の上に取り付けられ、支持ヒレ部３２０は窓用ガラス１０と形材側壁１１１の一方との間に位置している。支持ヒレ部３２０が窓用ガラス１０の一方の表面を押さえつけ、当接部３３０が形材側壁１１１の一方を押さえつけている。窓用ガラス１０の他方の表面は、窓用形材１００の形材側壁１１１の他方と接触している。
本実施例において、補助部材３００はアルミニウム合金からなる。アルミニウム合金を用いることで、補助部材３００は良好な強度を備えている。
【００２８】
窓用ガラス１０は窓用形材１００のガラス設置部１１０に挿入され、形材支持部材２００は形材底壁１１２の上に取り付けられる。固定部３１０が形材支持部材２００の収納空間２０１に挿入され、固定部３１０と形材支持部材２００とが接続されることで、形材支持部材２００と補助部材３００とが安定的に接続される。窓用ガラス１０の一方の表面は、補助部材３００の支持ヒレ部３２０に押さえつけられ、窓用ガラス１０の他方の表面は、窓用形材１００の形材側壁１１１の他方と接触している。補助部材３００の当接部３３０が形材側壁１１１の一方を押さえつけるため、窓用ガラス１０は、２つの表面を介して支持ヒレ部３２０と形材側壁１１１の他方とに挟み込まれ、ガラス設置部１１０における窓用ガラス１０の位置が固定される。窓用形材１００の形材側壁１１１の一方と補助部材３００の当接部３３０との間に隙間が生じないため、窓内外の防音・気密効果が保証される。本実施例においては、窓用ガラス１０の２つの表面のうち、補助部材３００の支持ヒレ部３２０と接触する一方の表面は室内側に位置し、形材側壁１１１の他方と接触する他方の表面は室外側に位置する。窓用形材１００のガラス設置部１１０の一端に窓用ガラス１０が挿入され、窓用形材１００のガラス設置部１１０の他端は形材本体部１２０に接続している。
本実施例において、形材支持部材２００は樹脂材料からなる。樹脂材料を用いることで、形材支持部材２００は良好な強度を備えると同時に、良好な弾性変形性も備える。
【００２９】
形材支持部材２００は、上下に順次接続された第１支持部２１０と、接続部２２０と、第２支持部２３０とを含んでいる。第１支持部２１０と第２支持部２３０とは、形材支持部材２００の高さ方向に沿って順次設けられている。第１支持部２１０と第２支持部２３０との間の隙間が収納空間２０１を形成する。形材支持部材２００は、構造がシンプルであるため、形材支持部材２００の収納空間２０１に固定部３１０を容易に挿入できる。さらに固定部３１０と形材支持部材２００とを接続した後、固定部３１０の位置が固定されるため、固定部３１０が窓用ガラス１０を安定的に押さえつけることが保証される。
本実施例において、形材支持部材２００は樹脂材料からなる。樹脂材料を用いることで、形材支持部材２００は良好な強度を備えると同時に、良好な弾性変形性も備える。
【００３０】
収納空間２０１に面した接続部２２０の側面は、収納空間２０１に向かって突出した付勢面２２１である。この付勢面２２１が固定部３１０を押さえつける。固定部３１０と形材支持部材２００とを接続すると、付勢面２２１が固定部３１０に圧力を加えるため、固定部３１０から付勢面２２１に対して、付勢面２２１が加えた圧力と反対の応力が作用する。このため、固定部３１０と形材支持部材２００とに大きな接続力が作用し、固定部３１０と形材支持部材２００との接続がより安定する。
【００３１】
付勢面２２１は、弧状の押圧面である。接続部２２０側に位置する第１支持部２１０の縁部には、第１くり抜き部２１１が設けられている。第１くり抜き部２１１は、形材支持部材２００の高さ方向に沿って収納空間２０１まで貫通している。接続部２２０側に位置する第１くり抜き部２１１の孔壁面が第１弧状壁面２１２である。第１弧状壁面２１２と付勢面２２１とは同一面上にある。接続部２２０側に位置する第２支持部２３０の縁部には、第２くり抜き部２３１が設けられている。第２くり抜き部２３１は、形材支持部材２００の高さ方向に沿って収納空間２０１まで貫通している。接続部２２０側に位置する第２くり抜き部２３１の孔壁面が第２弧状壁面２３２である。第２弧状壁面２３２と付勢面２２１とは同一面上にある。
【００３２】
第１弧状壁面２１２と、付勢面２２１と、第２弧状壁面２３２とが圧力弧面を形成する。第１くり抜き部２１１及び第２くり抜き部２３１を設けたため、接続部２２０と第１支持部２１０との間、及び、接続部２２０と第２支持部２３０との間に隙間が形成され、接続部２２０の剛性が低減する。このため、接続部２２０の付勢面２２１は、様々な固定部３１０と接触したときに弾性変形することができ、様々な寸法の固定部３１０に対して安定的に圧力を加えることができる。
【００３３】
第１支持部２１０または第２支持部２３０が形材底壁１１２と接触する。この構造によれば、形材支持部材２００を２種類の異なる姿勢で形材底壁１１２の上に取り付けることができる。
【００３４】
接続部２２０から遠い第１支持部２１０の一方側に第１アーム弾性部２１３が設けられている。接続部２２０から遠い第２支持部２３０の一方側に第２アーム弾性部２３３が設けられている。第２支持部２３０が形材底壁１１２と接触する場合には、第１支持部２１０の第１アーム弾性部２１３が支持ヒレ部３２０を押さえつける。第１支持部２１０が形材底壁１１２と接触する場合には、第２支持部２３０の第２アーム弾性部２３３が支持ヒレ部３２０を押さえつける。
上記構造によれば、形材支持部材２００を２種類の異なる姿勢で形材底壁１１２の上に取り付けたとき、いずれの場合にも支持ヒレ部３２０を押さえつけることができる。第１アーム弾性部２１３または第２アーム弾性部２３３が支持ヒレ部３２０を押さえつけることで、支持ヒレ部３２０に室内側に向かう推力を生じさせ、支持ヒレ部３２０に接続している当接部３３０を、より確実に形材側壁１１１の一方と当接させ、隙間の発生を防止する。
【００３５】
接続部２２０から遠い第１支持部２１０の一方側縁部には、第１縁部貫通部２１４が設けられている。第１縁部貫通部２１４は、形材支持部材２００の高さ方向に沿って収納空間２０１まで貫通している。接続部２２０から遠い第２支持部２３０の一方側縁部には、第２縁部貫通部２３４が設けられている。第２縁部貫通部２３４は、形材支持部材２００の高さ方向に沿って収納空間２０１まで貫通している。
上記構造によれば、接続部２２０から遠い第１支持部２１０の一方側縁部の剛性が低減されるため、第１アーム弾性部２１３が支持ヒレ部３２０と接触したとき、接続部２２０から遠い第１支持部２１０の一方側縁部が弾性変形し、支持ヒレ部３２０に安定的に圧力を加えることができる。また、接続部２２０から遠い第２支持部２３０の一方側縁部の剛性が低減されるため、第２アーム弾性部２３３が支持ヒレ部３２０と接触したとき、接続部２２０から遠い第２支持部２３０の一方側縁部が弾性変形し、支持ヒレ部３２０に安定的に圧力を加えることができる。
本実施例において、第１縁部貫通部２１４と第２縁部貫通部２３４とは、いずれも弧状である。
【００３６】
固定部３１０が形材支持部材２００の収納空間２０１に挿入される方向は、形材支持部材２００の幅方向である。第１支持部２１０の幅と第２支持部２３０の幅とは異なっている。この構造によれば、補助支持ブロックを様々な異なる窓用ガラス１０に適用することができ、窓用ガラス１０の室内側の調節機能を実現し、補助支持ブロックの汎用性を高めることができる。本実施例において、第１支持部２１０の幅は、第２支持部２３０の幅よりも小さい。
【００３７】
第１支持部２１０の高さと第２支持部２３０の高さとは、異なっている。この構造によれば、補助支持ブロックを様々な異なる窓用ガラス１０に適用することができ、窓用ガラス１０をガラス設置部１１０に挿入する位置を調節する機能を有し、補助支持ブロックの汎用性を高めることができる。本実施例において、第１支持部２１０の高さは、第２支持部２３０の高さよりも小さい。
【００３８】
形材底壁１１２には、取付け孔１１３が設けられている。第１支持部２１０には、取付け孔１１３に対応する第１支持孔２１５が設けられている。第２支持部２３０には、取付け孔１１３に対応する第２支持孔２３５が設けられている。第１支持孔２１５と第２支持孔２３５とは、同軸に設けられている。固定部３１０には、第１支持孔２１５と第２支持孔２３５とに対応する固定孔３１１が設けられている。第１支持部２１０が形材底壁１１２と接触する場合には、連結部材４００が第２支持孔２３５、固定孔３１１、第１支持孔２１５、取付け孔１１３を順次貫通して、形材支持部材２００と補助部材３００とを形材底壁１１２の上に取り付けて固定する。第２支持部２３０が形材底壁１１２と接触する場合には、連結部材４００が第１支持孔２１５、固定孔３１１、第２支持孔２３５、取付け孔１１３を順次貫通して、形材支持部材２００と補助部材３００とを形材底壁１１２の上に取り付けて固定する。連結部材４００を用いて形材支持部材２００と補助部材３００とを上下に接続するとともに、連結部材４００で形材支持部材２００と形材底壁１１２とを接続する。この接続方法は簡便で、取り外しも容易である。
【００３９】
形材支持部材２００の数は３以上の複数である。補助部材３００の固定部３１０は、同じ向きに設置された複数の形材支持部材２００の収納空間２０１に挿入される。隣り合う２つの形材支持部材２００の間隔は等しい。固定部３１０には、複数の固定孔３１１が設けられている。固定孔３１１のそれぞれは、１つの形材支持部材２００に対応している。隣り合う２つの固定孔３１１の間隔は、２５０ｍｍ〜３５０ｍｍである。複数の形材支持部材２００が間隔を空けて設置されるため、形材支持部材２００の製造コストを節約できる。本実施例において、補助部材３００の長さは窓用形材１００の長さと等しい。窓用形材１００における取付け孔１１３の数と、形材支持部材２００の数とは等しい。隣り合う２つの固定孔３１１の間隔は、３００ｍｍであることが好ましい。
【００４０】
支持ヒレ部３２０は、圧力ヒレ３２１と接続ヒレ３２２とを含む。圧力ヒレ３２１の一方側に固定部３１０が接続され、圧力ヒレ３２１の他方側に接続ヒレ３２２が接続されている。圧力ヒレ３２１において固定部３１０が突出している側の表面は、窓用ガラス１０と接触する。圧力ヒレ３２１から遠い接続ヒレ３２２の一方側は、当接部３３０に接続している。圧力ヒレ３２１に対する接続ヒレ３２２の押圧力により、圧力ヒレ３２１は窓用ガラス１０を押さえつける。当接部３３０に対する接続ヒレ３２２の押圧力により、当接部３３０は形材側壁１１１の一方を押さえつける。この構造によれば、支持ヒレ部３２０を窓用ガラス１０と形材側壁１１１の一方との間に安定的にはめ込んで固定することができる。
【００４１】
圧力ヒレ３２１は、固定部３１０に対して垂直に設けられ、圧力ヒレ３２１は、接続ヒレ３２２に対しても垂直に設けられている。この構造によれば、接続ヒレ３２２が圧力ヒレ３２１に押圧力を加えて、窓用ガラス１０を押さえつけることが容易となる。
当接部３３０は、接続ヒレ３２２に対して垂直に設けられている。この構造によれば、接続ヒレ３２２が当接部３３０に押圧力を加えて、形材側壁１１１の一方を押さえつけることが容易となる。
【００４２】
ガラス設置部１１０の内部には、パッドブロック５００が取り付けられている。パッドブロック５００は、パッド本体５１０と、パッド本体５１０の下部に設けられたパッド脚５２０とを含む。固定部３１０には、長さ方向に沿って、少なくとも２つのパッドブロック挿入部３１２が設置され、パッドブロック挿入部３１２のそれぞれにパッド本体５１０が挿入される。隣り合う２つのパッドブロック挿入部３１２の間には、固定孔３１１が少なくとも１つ設けられている。パッド脚５２０は、すべて形材底壁１１２に取り付けられる。パッドブロック５００を設置することで、固定部３１０と形材底壁１１２との接続をさらに安定化させることができる。本実施例において、パッドブロック挿入部３１２は貫通孔である。
【００４３】
形材支持部材２００とパッドブロック５００とを形材底壁１１２に取り付けたとき、パッドブロック５００の水平高さは、形材支持部材２００の水平高さよりも高い。従って、窓用形材１００に挿入された窓用ガラス１０の端面は、パッドブロック５００のパッド本体５１０に当接する。
【００４４】
本実施例において、隣り合う２つのパッドブロック挿入部３１２の間に、固定孔３１１が１つ設けられている。パッド脚５２０それぞれの最下部にはフック５３０が設けられている。形材底壁１１２には、パッド脚５２０がそれぞれ挿入されるパッド脚挿入孔１１４が設けられている。フック５３０は、パッド脚挿入孔１１４を通り抜けたあと、形材底壁１１２の外側面に引っ掛かる。フック５３０が形材底壁１１２の外側面に引っ掛かる構造は、シンプルで取り付けやすく、接続が安定する。各パッドブロック５００の下部には、２つのパッド脚５２０が設けられている。
形材底壁１１２の外側面には、耐圧部１１５が設けられている。耐圧部１１５はネジ穴であり、ネジをネジ穴に通すことで、２つの窓用形材１００を接合することができる。
【００４５】
本発明の窓用形材の補助支持ブロックは、形材底壁１１２の上に取り付けられる。補助支持ブロックの形材支持部材２００と補助部材３００とが接続され、窓用ガラス１０が２つの表面を介して支持ヒレ部３２０と形材側壁１１１の他方との間に挟み込まれる。補助部材３００の当接部３３０が形材側壁１１１の一方を押さえつけ、当接部３３０と形材側壁１１１の一方とが確実に当接して、当接部３３０と形材側壁１１１の一方との間に隙間が生じることを防ぎ、窓内外の防音・気密効果を保証する。また、本発明の窓用形材の補助支持ブロックは、汎用性を有する。
【００４６】
以上のように、本発明は従来技術における様々な欠陥を効果的に克服しており、産業上の高い利用価値を有する。
上記実施例は本発明の原理と効果を例示的に説明するものに過ぎず、本発明を限定するものではない。当業者であれば、本発明の主旨と範疇から逸脱することなく上記実施例に修正または変更を加えることが可能である。従って、当技術分野における通常の知識を有する者が、本発明が開示した主旨と技術的構想のもとでなし得た等価な修正及び変更は、すべて本発明の請求する権利範囲に包含される。
【符号の説明】
【００４７】
１０  窓用ガラス、１００  窓用形材、１１０  ガラス設置部、１１１  形材側壁、１１２  形材底壁、１１３  取付け孔、１１４  パッド脚挿入孔、１１５  耐圧部、１２０  形材本体部、２００  形材支持部材、２０１  収納空間、２０２  開口部、２１０  第１支持部、２１１  第１くり抜き部、２１２  第１弧状壁面、２１３  第１アーム弾性部、２１４  第１縁部貫通部、２１５  第１支持孔、２２０  接続部、２２１  付勢面、２３０  第２支持部、２３１  第２くり抜き部、２３２  第２弧状壁面、２３３  第２アーム弾性部、２３４  第２縁部貫通部、２３５  第２支持孔、３００  補助部材、３１０  固定部、３１１  固定孔、３１２  パッドブロック挿入部、３２０  支持ヒレ部、３２１  圧力ヒレ、３２２  接続ヒレ、３３０  当接部、４００  連結部材、５００  パッドブロック、５１０  パッド本体、５２０  パッド脚、５３０  フック、１  補助部材、１１  当接部、１２  長ヒレ部、１３  短ヒレ部、２  単層ガラス、３  二層ガラス、４  形材
【図１】
2019167810.tif 000003
【図２】
2019167810.tif 000004
【図３】
2019167810.tif 000005
【図４】
2019167810.tif 000006
【図５】
2019167810.tif 000007
【図６】
2019167810.tif 000008
【図７】
2019167810.tif 000009
【図８】
2019167810.tif 000010
【図９】
2019167810.tif 000011
【図１０】
2019167810.tif 000012
【図１１】
2019167810.tif 000013
【図１２】
2019167810.tif 000014